【手続補正書】
【提出日】平成19年7月3日(2007.7.3)
【手続補正１】
【補正対象書類名】特許請求の範囲
【補正対象項目名】全文
【補正方法】変更
【補正の内容】
【特許請求の範囲】
【請求項１】
電子データを暗号化するための暗号化手段と、
出力装置に対して前記暗号化手段により暗号化された電子データと、前記暗号化された電子データを復号するための復号鍵を送信するための送信手段と、
前記送信手段に送信され前記出力装置で記憶されている暗号化電子データを前記出力装置で出力させる出力日時を管理するための管理手段と、を有し、
前記送信手段は、前記管理手段が管理する出力日時に基づいて前記出力装置へ当該出力日時に出力させる電子データの復号鍵を送信することを特徴とする画像処理装置。
【請求項２】
更に、電子データの第１特徴情報を抽出する抽出手段を有し、
前記管理手段は、暗号化電子データと、当該暗号化電子データの暗号化前に前記抽出手段により抽出された第１特徴情報とを対応付けて管理することを特徴とする請求項１記載の画像処理装置。
【請求項３】
更に、前記送信手段が送信した前記復号鍵を用いて前記出力装置が復号化した電子データに対して、前記出力装置が生成した第２特徴情報を取得する取得手段と、
前記取得手段により取得された前記第２特徴情報と前記第１特徴情報とが一致するか否かを照合する照合手段と、
前記照合手段が前記第１特徴情報と前記第２特徴情報とが一致すると判断した場合に、前記出力装置に対して復号化された電子データの出力を指示する指示手段と、を有することを特徴とする請求項２に記載の画像処理装置。
【請求項４】
前記管理手段は、更に、前記出力装置に送信した暗号化電子データの前記出力装置における処理状況を管理し、前記出力装置から送信される前記暗号化電子データの出力終了通知に基づき、暗号化電子データの出力状況情報を更新することを特徴とする請求項１〜３のいずれか１項に記載の画像処理装置。
【請求項５】
前記送信手段は、複数の出力装置に対してそれぞれ異なる復号鍵を送信することを特徴とする請求項１〜４のいずれか１項に記載の画像処理装置。
【請求項６】
前記送信手段は、前記照合手段が前記第１特徴情報と前記第２特徴情報とが一致しないと判断した場合に、前記出力装置に対して暗号化されていない前記電子データを再送信することを特徴とする請求項３記載の画像処理装置。
【請求項７】
画像処理装置から受信した暗号化電子データを記憶する記憶手段と、
前記記憶手段に記憶されている暗号化電子データを復号化するための復号鍵を前記画像処理装置から取得する取得手段と、
前記取得手段が取得した前記復号鍵を用いて前記暗号化データを復号化し、該復号化した電子データから特徴情報を抽出して、前記画像処理装置に送信する特徴情報抽出手段と、
前記特徴情報抽出手段が送信した前記特徴情報に応答して前記画像処理装置が送出する出力指示に基づいて、前記電子データの出力を開始する制御手段とを有することを特徴とする画像出力装置。
【請求項８】
前記制御手段は、前記特徴情報抽出手段が送信した前記特徴情報に応答して前記画像処理装置が非暗号化電子データを送出した場合には、前記特徴情報抽出手段が特徴情報を抽出した電子データの出力を行わずに、前記非暗号化電子データの出力を行うことを特徴とする請求項７記載の画像出力装置。
【請求項９】
電子データを暗号化するための暗号化ステップと、
出力装置に対して前記暗号化ステップにおいて暗号化された電子データと、前記暗号化された電子データを復号するための復号鍵を送信するための送信ステップと、
前記送信ステップにおいて送信され前記出力装置で記憶されている暗号化電子データを前記出力装置で出力させる出力日時を管理する管理ステップと、を有し、
前記送信ステップは、前記管理ステップにて管理する出力日時に基づいて前記出力装置へ当該出力日時に出力させる電子データの復号鍵を送信することを特徴とする画像処理方法。
【請求項１０】
画像処理装置から受信した暗号化電子データを記憶手段に記憶する記憶ステップと、
前記記憶手段に記憶されている暗号化電子データを復号化するための復号鍵を前記画像処理装置から取得する取得ステップと、
前記取得ステップにおいて取得した前記復号鍵を用いて前記暗号化データを復号化し、該復号化した電子データから特徴情報を抽出して、前記画像処理装置に送信する特徴情報抽出ステップと、
前記特徴情報抽出ステップにおいて送信した前記特徴情報に応答して前記画像処理装置が送出する出力指示に基づいて、前記電子データの出力を開始する制御ステップとを有することを特徴とする画像出力方法。
【請求項１１】
請求項９に記載の画像処理方法をコンピュータに実行させるためのプログラムを格納したことを特徴とするコンピュータが読み取り可能な記憶媒体。
【請求項１２】
請求項９に記載の画像処理方法をコンピュータに実行させることを特徴とするプログラム。
【請求項１３】
請求項１０に記載の画像出力方法をコンピュータに実行させるためのプログラムを格納したことを特徴とするコンピュータが読み取り可能な記憶媒体。
【請求項１４】
請求項１０に記載の画像出力方法をコンピュータに実行させることを特徴とするプログラム。
【手続補正２】
【補正対象書類名】明細書
【補正対象項目名】発明の名称
【補正方法】変更
【補正の内容】
【発明の名称】画像処理装置、画像出力装置、画像処理方法、画像出力方法、記憶媒体、プログラム
【手続補正３】
【補正対象書類名】明細書
【補正対象項目名】０００１
【補正方法】変更
【補正の内容】
【０００１】
本発明は、画像処理装置と画像出力装置とが通信可能な画像処理システムにおけるデータ処理に関するものである。
【手続補正４】
【補正対象書類名】明細書
【補正対象項目名】０００９
【補正方法】変更
【補正の内容】
【０００９】
本発明は、前記の課題を解決するためになされたもので、本発明の目的は、画像処理装置から暗号化されている電子データを復号化できない状態で出力装置に送信して記憶させておき、復号鍵を送信するまで出力装置に記憶された暗号化されている電子データが処理できないように管理できる仕組みを提供することである。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
本発明に係る画像処理装置は、以下の特徴的構成を備える。
電子データを暗号化するための暗号化手段と、出力装置に対して前記暗号化手段により暗号化された電子データと、前記暗号化された電子データを復号するための復号鍵を送信するための送信手段と、前記送信手段に送信され前記出力装置で記憶されている暗号化電子データを前記出力装置で出力させる出力日時を管理するための管理手段と、を有し、前記送信手段は、前記管理手段が管理する出力日時に基づいて前記出力装置へ当該出力日時に出力させる電子データの復号鍵を送信することを特徴とする。
【手続補正７】
【補正対象書類名】明細書
【補正対象項目名】００１２
【補正方法】変更
【補正の内容】
【００１２】
本発明に係る画像出力装置は、以下の特徴的構成を備える。
画像処理装置から受信した暗号化電子データを記憶する記憶手段と、前記記憶手段に記憶されている暗号化電子データを復号化するための復号鍵を前記画像処理装置から取得する取得手段と、前記取得手段が取得した前記復号鍵を用いて前記暗号化データを復号化し、該復号化した電子データから特徴情報を抽出して、前記画像処理装置に送信する特徴情報抽出手段と、前記特徴情報抽出手段が送信した前記特徴情報に応答して前記画像処理装置が送出する出力指示に基づいて、前記電子データの出力を開始する制御手段とを有することを特徴とする。
【手続補正８】
【補正対象書類名】図面
【補正対象項目名】図５
【補正方法】変更
【補正の内容】
【図５】
2005244719.tif 000001